(57)【要約】【課題】電池の使用量を抑えかつ選択ボタンを間違いなく選択押圧すること。【解決手段】アンケートカード１はシート基材３０と、シート基材３０上に設けられた選択ボタン３、４，５とを備えている。各選択ボタン３、４，５は温度又は水分によって色が変化するインキを用いたインキ層シート５１ａを含む視覚識別手段５１を有する。【選択図】図２
2018041412.tif 000002
【特許請求の範囲】
【請求項１】
シート基材と、
このシート基材に設けられ、使用者が押圧可能な複数の選択ボタンと、
前記シート基材に設けられ、使用者が押圧した前記選択ボタンの押圧情報とを記憶する記憶部と、
前記シート基材に設けられ、前記記憶部に記憶された情報を外部に出力する出力インタフェース部と、を備え、
前記複数の選択ボタンは、使用者が順次に押圧する複数の選択ボタン群に分かれており、
各選択ボタンは視覚識別手段を含む押圧部を有することを特徴とするシート状の情報収集装置。
【請求項２】
前記視覚識別手段は温度又は水分によって色が変化するインキを用いたインキ層、またはこのインキ層が塗布されたインキ層シートを含むことを特徴とする請求項１に記載の情報収集装置。
【請求項３】
前記視覚識別手段はインキ層シートを含み、このインキ層シートは前記シート基材に剥離可能となることを特徴とする請求項２に記載の情報収集装置。
【請求項４】
前記視覚識別手段は感圧変色シートを含むことを特徴とする請求項１に記載の情報収集装置。
【請求項５】
前記感圧変色シートは前記シート基材に剥離可能に設けられていることを特徴とする請求項４に記載の情報収集装置。
【請求項６】
前記視覚識別手段は、溶剤と、顔料と、樹脂と、剥離材を含むインキにより消去可能に着色されるブランク領域を含むことを特徴とする請求項１に記載の情報収集装置。
【請求項７】
前記ブランク領域は剥離ＯＰ層を含むことを特徴とする請求項６に記載の情報収集装置。
【請求項８】
前記剥離識別手段は水分により色が変化する感水紙を含むことを特徴とする請求項１に記載の情報収集装置。
【発明の詳細な説明】
【技術分野】
【０００１】
本発明は、ボタンの押圧情報を記憶して、記憶された情報を外部に伝送するインタフェース機能を備えた情報収集装置に関する。
【背景技術】
【０００２】
紙などの折り畳み可能なシート基材に電池および通信機能を内蔵させて、ある限られた期間だけ外部との無線通信を行い、その期間が終了すると、廃棄することを前提した装置が提案されている（特許文献１参照）。
【０００３】
この特許文献１に開示された使い捨て式自己充足型測定装置は、センサを含むデータ入力・試料採取部分とデータ取得部分とを、印字可能で折り畳み可能なシート基材で密封したものである。この装置では、シート基材として、紙などの安価で廃棄が容易な材料を用いることを想定している。
【０００４】
また、特許文献１には、シート基材に、音声要素と視覚表示器等の付加的手段を設けてもよいことが記載されている。
【０００５】
さらに、特許文献２には、使用者が自分自身の健康状態を記録して表示可能な携帯装置が開示されている。
【先行技術文献】
【特許文献】
【０００６】
【特許文献１】特許５０７４１９３号公報
【特許文献２】特許３２５０８１０号公報
【発明の概要】
【発明が解決しようとする課題】
【０００７】
特許文献１では、紙等のシート基材に、使用者に選択押下させるための複数のボタンを配置しているが、これら選択ボタンを順に選択押下する必要がある場合、使用者は、どの選択ボタンまで選択押下を行ったのかがわからなくなることもある。
【０００８】
このような場合、選択押下を行った選択ボタンをＬＥＤ等の表示手段を用いて表示することも考えられるが、表示手段を用いることにより電池の使用量が増加してしまう。
【０００９】
また、特許文献２には、入力された値を表示可能にする例が開示されているが、特許文献２は物理的なボタンを備えた携帯装置を念頭に置いており、シート基材にボタンを設けた場合の上述した問題とその解決策については何ら開示も示唆もない。
【００１０】
本発明は、このような点を考慮してなされたものであり、シート基材に形成された選択ボタンを間違いなく選択押下できるようにし、かつ、簡単な構造をもって電池の使用量を抑えることができる情報収集装置を提供することを目的とする。
【課題を解決するための手段】
【００１１】
本発明は、シート基材と、このシート基材に設けられ、使用者が押圧可能な複数の選択ボタンと、前記シート基材に設けられ、使用者が押圧した前記選択ボタンの押圧情報とを記憶する記憶部と、前記シート基材に設けられ、前記記憶部に記憶された情報を外部に出力する出力インタフェース部と、を備え、前記複数の選択ボタンは、使用者が順次に押圧する複数の選択ボタン群に分かれており、各選択ボタンは視覚識別手段を含む押圧部を有することを特徴とするシート状の情報収集装置である。
【００１２】
本発明は、前記視覚識別手段は温度又は水分によって色が変化するインキを用いたインキ層、またはこのインキ層が塗布されたインキ層シートを含むことを特徴とする情報収集装置である。
【００１３】
本発明は、前記視覚識別手段はインキ層シートを含み、このインキ層シートは前記シート基材に剥離可能となることを特徴とする情報収集装置である。
【００１４】
本発明は、前記視覚識別手段は感圧変色シートを含むことを特徴とする情報収集装置である。
【００１５】
本発明は、前記感圧変色シートは前記シート基材に剥離可能に設けられていることを特徴とする情報収集装置である。
【００１６】
本発明は、前記視覚識別手段は、溶剤と、顔料と、樹脂と、剥離材を含むインキにより消去可能に着色されるブランク領域を含むことを特徴とする情報収集装置である。
【００１７】
本発明は、前記ブランク領域は剥離ＯＰ層を含むことを特徴とする情報収集装置である。
【００１８】
本発明は、前記剥離識別手段は水分により色が変化する感水紙を含むことを特徴とする情報収集装置である。
【発明の効果】
【００１９】
本発明によれば、電池の使用量を抑え、かつシート基材に形成された選択ボタンを間違いなく選択押下することができる。
【図面の簡単な説明】
【００２０】
【図１】本発明の第１の実施形態に係る情報収集装置の外観図。
【図２】選択ボタンを示す拡大図。
【図３】薄型モジュール部品の内部構成の一例を示すブロック図。
【図４】ＡＳＩＣの内部構成の一例を示すブロック図。
【図５】シート基材を展開した状態を示す図。
【図６】シート基材に設けられた導電パターンを示す図。
【図７】情報収集装置の他の実施の形態を示す図。
【図８】情報収集装置の他の実施の形態を示す図。
【図９】情報収集装置の他の実施の形態を示す図。
【図１０】情報収集装置の他の実施の形態を示す図。
【発明を実施するための形態】
【００２１】
以下、本発明の実施の形態について、詳細に説明する。
【００２２】
＜本発明の実施形態＞
図１は本発明の第１の実施形態に係る情報収集装置１の外観図である。図１の情報収集装置１は、紙や樹脂からなるシート状のアンケートカード１であり、情報入力面２を含む。この情報入力面２は、使用者が自らの指で選択ボタンを選択押下する面である。
【００２３】
図１のアンケートカード１は、使用者のボタン操作により逐次記録する機能と、記録した情報を外部に出力するインタフェース機能とを備えている。付加的に、情報を収集する部署や医療機関等のホストコンピュータに無線で伝送する機能を設けてもよい。また、このアンケートカード１は、所定期間が経過すると、廃棄することを前提としており、部材コストをできるだけ抑えるために、紙や樹脂等のシート基材を用いて作製されている。
【００２４】
情報入力面２の上部には、例えば後述のように選択ボタンの一種であるスタートボタン３と取り消しボタン４が設けられている。情報入力面２の他の部分には、例えば特定の病気の治療効果を判断するための基本項目に関連する項目１〜１０用の選択ボタン５，５，・・・が設けられている。
【００２５】
また項目１用の選択ボタン５は、例えば３種類の状態のうち１つを選択押下するための３つのボタン５で構成されている。この場合、項目１の３つの選択ボタン５によって、１つの選択ボタン群５ａを構成している。
【００２６】
項目１には、「具体的な質問」５Ａが記載されており、使用者はこの「具体的な質問」５Ａをみて、例えば「○」「×」「△」等の３種類の状態の「回答Ａ」「回答Ｂ」「回答Ｃ」から１つの状態を選択して該当する選択ボタン５を選択押下する。
【００２７】
同様に項目２〜項目１０の各項目の選択ボタン５も同様に、３種類の状態のうち１つを選択押下するための３つのボタン５で構成され、項目２〜１０の各項目の３つの選択ボタン５によって各々の選択ボタン群５ａを構成している。
【００２８】
また同様に項目２〜１０には、「具体的な質問」５Ａが記載されており、使用者はこの「具体的な質問」５Ａをみて、例えば「○」「×」「△」等の３種類の状態の「回答５Ａ」「回答５Ｂ」「回答５Ｃ」から１つの状態を選択して該当する選択ボタン５を選択押下する。
【００２９】
なお、ボタン操作面２に設けられる選択ボタン５の種類、数および配置は任意である。なお、スタートボタン３および取り消しボタン４も各々選択ボタンの一種であり、選択ボタン群を構成している。
【００３０】
使用者は、アンケートカード１を初めて使用するときに、スタートボタン３を押圧する。その後、使用者は、予めアンケート依頼者や医療機関等から指示されたタイミングで、該当する選択ボタン５を押下する。使用者が操作を誤って、異なる選択ボタンを押下してしまった場合は、その直後に取り消しボタン４を押下することで、その直前の選択ボタンの操作を取り消すことができる。
【００３１】
使用者が押圧したすべてのボタンの情報は、アンケートカード１内に内蔵された記憶部に自動的に記憶される仕組みになっている。
【００３２】
このように、本実施形態では、スタートボタン３、取り消しボタン４および選択ボタン５を含むすべての選択ボタンを機能別に複数の選択ボタン群５ａに分類しておく。これにより、使用者は、次にどの選択ボタン群５ａの選択押下を行えばよいのかを的確に判断できるようになり、使用者が誤った選択ボタンを押下するおそれを防止できる。
【００３３】
図１のアンケートカード１は、後述のように、紙や樹脂等からなるシート基材３０を折り畳んで作製される。シート基材３０を折り畳むことで、上述した情報入力面２が表面に現れるとともに、シート基材３０には各選択ボタン３、４、５に対応する導電部３６に接続される導電パターン３５が形成されており、また、モジュール部品が実装されている。
【００３４】
図３はモジュール部品１０の内部構成の一例を示すブロック図である。図３のモジュール部品１０は、基板１１と、その上に実装されたＡＳＩＣ（Application Specific Integrated Circuit）１２と、水晶振動子１３と、ボタン電池１４と、スピーカ１５と、基板１１の長辺に沿って形成される複数の端子１６と、基板１１の外縁部に沿って形成されるアンテナパターン１７とを有する。
【００３５】
図３は薄型モジュール部品１０の内部構成を機能化したブロック構成を示しており、実際の各回路部品やパターンの配置やサイズ、形状、個数は任意に変更可能である。
【００３６】
図４はＡＳＩＣ１２の内部構成の一例を示すブロック図である。図４のＡＳＩＣ１２は、使用者が押圧したスタートボタン３、取り消しボタン４、および各選択ボタンの情報を時刻情報とともに時系列で記憶する記憶部２１と、記憶部２１に押圧情報を記憶する制御を行う制御部２２と、記憶部２１に記憶された情報の少なくとも一部を外部に取り出すためのインタフェース部２３とを有する。
【００３７】
記憶部２１は、制御部２２の制御に基づいて、使用者が押圧したボタンを特定する情報と、そのボタンが押圧された時刻情報とを組にして記憶する。
【００３８】
制御部２２の機能が低い場合は、記憶部２１にいったん記憶した情報を消去したり、上書きしたりすることができない可能性が高い。そこで、取り消しボタン４が押されると、制御部２２はその直前に記憶部２１に記憶した情報を消去するのではなく、その情報が誤りである旨の情報を追加で記憶する。これにより、アンケートカード１の情報を医療機関等のホストコンピュータで読み出したときには、記憶された各情報ごとに、その情報が正しいかどうかを簡易かつ正確に判別できる。
【００３９】
一方、制御部２２の機能が高い場合は、記憶部２１にいったん記憶した情報を消去したり、上書きすることもできる可能性が高い。そこで、取り消しボタン４が押されると、制御部２２はその直前に記憶部２１に記憶した情報を直接消去する。よって、記憶部２１内に誤った情報を記憶し続けなくて済み、記憶部２１内の記憶容量を有効活用できるとともに、ホストコンピュータ側で、読み出した情報が正しいかどうかを判断しなくて済み、読み出し処理を高速化できる。
【００４０】
このような取り消しボタン４を設けることで、その直前に押圧した選択ボタンの情報を取り消すことができ、使用者は、何度でも、ボタン操作をやり直すことができ、間違いが許されないという精神的な負担から解放される。
【００４１】
本実施形態に係るアンケートカード１に通信機能を内蔵して、例えば非接触で、記憶部２１に記憶された情報を外部機器に伝送できるようにしてもよい。この場合、ＡＳＩＣ１２の内部に不図示の無線通信部を設ければよい。無線通信部は、ホストコンピュータとの間で、いわゆるＮＦＣ（Near Field Communication、近接無線通信）やBluetooth（登録商標）等の非接触通信を行って、インタフェース部２３を介して情報の送受を行う。無線通信部２３が無線通信に用いる方式や周波数帯域は特に制限されるものではなく、例えばＮＦＣの場合は13.56MHzの帯域でISO14443に準拠した無線方式で無線通信を行い、Bluetoothの場合は規格で定めた周波数（例えば２．４ＧＨｚ）で無線通信を行う。上述した記憶部２１に記憶された各種情報は、無線通信部２３を介してホストコンピュータに送信される。これにより、所定の期間にわたって、使用者の状態がどのように変化したかを時系列的にきめ細かくホストコンピュータ側で一元的に管理できる。
【００４２】
無線通信の方式としてＮＦＣを採用する場合、規格上電力の送受もできるため、電池なしで薄型モジュール部品１０を駆動することも原理的には可能である。ただし、薄型モジュール部品１０にスピーカ１５も設ける場合には、電力の消費量が比較的大きいため、ボタン電池１４を搭載するのが望ましい。
【００４３】
ボタン電池１４を搭載する以上、長期間使用すると、バッテリ切れを起こすが、本実施形態に係るアンケートカード１は、シート基材を採用してある程度の耐久性と防水性は持たせているものの、電池を交換可能な構造は採用していないため、バッテリ切れを起こしたら、アンケートカード１自体を交換することを前提として、構造を簡略化している。
【００４４】
次に図５によりアンケートカード１の材料であるシート基材３０について説明する。
【００４５】
図５に示すように、シート基材３０には、縦方向に延びる２本の折り目３１、３１が設けられ、この２本の折り目３１、３１を介してシート基材３０が折畳まれて、シート基材３０は最上層の第１基材３０ａと、最下層の第２基材３０ｂと、第１基材３０ａと第２基材３０ｂとの間に介在される中間基材３０ｃとを有する３層構造をもつ。
【００４６】
このうち第１基材３０ａの表面側に、上述した情報入力面２が形成され、この情報入力面２に複数の選択ボタン３，４，５が設けられる。
【００４７】
また第１基材３０ａの情報入力面２の裏側の面３０Ａに、各選択ボタン３、４，５に対応する導電部３６が設けられている。
【００４８】
さらに第２基材３０ｂの回路パターン面３０Ｂには、第１基材３０ａの導電部３６に接続される回路パターン３５が設けられている。
【００４９】
第２基材３０ｂの回路パターン面３０Ｂに設けられた回路パターン３５は、図６に示すように、第１基材３０ａに設けられた導電部３６に接続可能な接点３４を有する。さらにこの第２基材３０ｂの回路パターン面３０Ｂには、上述したモジュール部品１０が設けられ、このモジュール部品１０は回路パターン３５に接続されている。
【００５０】
また中間基材３０ｃは、第１基材３０ａと第２基材３０ｂとを離間させる離間シートとして機能し、この中間基材３０ｃには、第２基材３０ｂのモジュール部品１０を露出させるための開口３７ａと、第２基材３０ｂの接点３４を露出させるための開口３７ｂとが設けられている。
【００５１】
また第２基材３０ｂに設けられたモジュール部品１０には、スタートボタン用の一対の端子１０ａ、１０ｂが設けられている。
【００５２】
次に各選択ボタン５について更に述べる。各選択ボタン５は図２に示すように、枠体５０ａと、枠体５０ａ内に設けられた視覚識別手段５１を含む押圧部５０を有する。
【００５３】
この場合、視覚識別手段５１としては、温度又は水分によって色が変化するインキをシート印刷により塗布することによりインキ層をもつインキ層シート５１ａを作製し、このように作製されたインキ層シートを用いることができる。このインキ層シート５１ａは、シート基材３０の情報入力面２に対して剥離可能に貼り付けられている。
【００５４】
次に本発明の変形例について説明する。
【００５５】
上記実施の形態において、温度又は水分によって色が変化するインキをシートに印刷することによりインキ層をもつインキ層シート５１ａを作製し、このインキ層シート５１ａを情報入力面２に剥離可能に貼り付けて視覚識別手段５１を構成する例を示したが、情報入力面２に温度又は水分によって色が変化するインキを直接印刷して塗布することにより、視覚識別手段５１を構成してもよい。
【００５６】
この場合、選択ボタン５は枠体５０ａと、枠体５０ａ内に設けられた視覚識別手段５１とを含む押圧部５０を有する。
【００５７】
このようなインキ層を形成するインキとしては温度によって色が変化する示温インキを使用することができる。インキ層は別シートに印刷されたものを粘着剤などで貼り付けて使用することもできるし（図２参照）、シート基材３０に直接印刷することもできる。また、ＰＥＴフィルムなどの透明シートに印刷し、シート基材３０と重ねて使用することもできる。
【００５８】
インキの印刷方式は、グラビア印刷やスクリーン印刷などが使用できる。
【００５９】
このようなインキ層は例えば、指で触れたときに、体温で色が変化することで視認性を得ることができる。このようなインキ層を押圧部５０に設けることにより、選択ボタン５の押圧時に色が変化し、どこの選択ボタン５を押したかを認識することができる。また、インキは可逆性で指から離してしばらくすると色が元に戻り、再度使用することができる。
【００６０】
変化する温度帯は適時調整することができるが、体温による変色を利用する場合には、２５℃〜３２℃が好ましい。
【００６１】
また、季節によって部屋の温度も変化するため、季節ごとに変化する温度枠を調整することも有効である。
【００６２】
次にこのような構成からなる本発明の形態の作用について説明する。
【００６３】
まず使用者はスタートボタン３を押圧し、次に項目１の「具体的質問」５Ａに対し、「回答Ａ」「回答Ｂ」「回答Ｃ」の中から適切な回答を選択し、該当する選択ボタン５を押下する。この作用を項目１から項目１０まで順次繰り返す。
【００６４】
この場合、押下された選択ボタン５の押圧部５０を構成する視覚識別手段５１は温度又は水分により色が変化するインキからなるインキ層を含むため、選択ボタン５を押下した際、選択ボタン５の視覚識別手段５１は使用者の指先の体温又は水分により変化する。このため、使用者としては、項目１〜１０のうち、どこの項目まで回答したか視覚により識別することができ、回答もれをすることなく、すべての項目１〜１０について、確実に回答することができる。
【００６５】
なお、使用者が識別ボタンから指を離した後しばらくすると、温度又は水分が元の値まで戻り、このことにより視覚識別手段５１のインキの色も元の色に戻る。このように視覚識別手段５１のインキの色は元の色に戻るため、情報収集装置１の再使用が可能となる。
【００６６】
さらにＬＥＤ等の電子部品を用いることなく視覚認識できるので、電池の消費量を抑えることができる。
【００６７】
＜他の実施の形態＞
次に図７および図８により本発明の他の実施の形態について説明する。
【００６８】
図１乃至図６に示す実施の形態において、押圧部５０の視覚識別手段５１のインキとして、温度又は水分によりその色が変化するものを用い、使用者の指先の体温又は水分により視覚識別手段５１の色が変化する例を示したが、これに限らず高温にさらすことで変色するインキを用い情報入力面２に印刷することによりインキ層を形成して、選択ボタン５の視覚識別手段５２を設けてもよい（図７参照）。
【００６９】
この場合、選択ボタン５の視覚識別手段５２を図８に示すような５×５×５０ｍｍのゴム棒５２Ａを用いて擦る。このことによりゴム棒５２Ａによる摩擦力によって視覚識別手段５２の色が変化する。
【００７０】
使用者はすべての項目１〜１０についての回答を終了した後、選択ボタン５の視覚識別手段５１を、液体窒素を含む瞬間冷却スプレーにより−２０℃以下まで冷却する。このことにより視覚識別手段５２の色を元の色に戻して、情報収集装置１を再利用することができる。
【００７１】
次に図９および図１０により本発明の他の実施の形態について説明する。
【００７２】
図９および図１０に示す実施の形態は、シート基材３０の情報入力面２に直接通常のインキを印刷して塗布することにより選択ボタン５の押圧部５０にインキ層５３ａを形成する。このインキは青色等、比較的濃厚な色であることが好ましい。
【００７３】
このように情報入力面２にインキ層５３ａを形成した後、インキ層５３ａ上に樹脂製のマスキングシート（感圧変色シート）５５を被せる。
【００７４】
このことによりインキ層５３ａとマスキングシート５５とによって、押圧部５０の視覚識別手段５３を構成してもよい。
【００７５】
使用者はマスキングシート５５上から選択ボタン５に対応するインキ層５３ａを押圧する。
【００７６】
このとき、マスキングシート５５のうち押圧された部分がインキ層５３ａに密着し、光の屈折を利用して当該インキ層５３ａが押圧されたことを視覚的に識別することができる。
【００７７】
あるいは、情報入力面２に形成されたインキ層５３ａとマスキングシート５５とから視覚識別手段５３を構成する代わりに、圧力をかけるとカプセルが潰れて中に入っていた色材が流出して色の変化を認識する感圧変色シートを用いてもよい。
【００７８】
あるいはまた、選択ボタン５の押圧部５０を構成する視覚識別手段として、水分が付くと変色する感水紙を情報入力面２に貼り付けてみてもよい。
【００７９】
使用に際し、指先を水で濡らして選択ボタンを選択押下することにより、感水紙が水と反応して変色し、視覚的な識別が可能となる。
【００８０】
あるいはまた、選択ボタン５の押圧部５０を構成する視覚識別手段は、溶剤と顔料と樹脂と剥離剤を含むインキを有するホワイトボードマーカーを用い、このインキのより消去可能に着色されるブランクを有していてもよい。
【００８１】
この場合、ブランクはシート基材３０の情報入力面２のうち、押圧部５０に対応する領域に設けられ、押圧部５０の表面にはＰＥ等のＯＰ層（オーバープリント層）が形成されて、ホワイトボードマーカーのインキがシート基材３０内に染み込むことはない。
【実施例】
【００８２】
次に本発明の具体的な実施例について説明する。
【００８３】
＜実施例１＞
図１乃至図６に示すアンケートカード１を作製した。
【００８４】
アンケートカード１にはスタートボタン３と、取り消しボタン４と質問事項１０項目と、それら質問に対する選択ボタン５が設けられている。回答は３つのうちから１つ選んで押圧した（図１参照）。
【００８５】
アンケートカード１の情報入力面２に質問内容、回答内容を印刷した。選択ボタン５の押圧部５０は白抜きとした（図１）。
次に第２基材３０ｃ上にモジュール部品１０を設け、第２基材３０ｃ上に中間基材３０ｃと第１基材３０ａを順次重ね、第１基材３０ａと、第２基材３０ｂと、中間基材３０ｃをヒートシールした。
【００８６】
次に各ボタン３，４，５の押圧部５０に示温インキが印刷されたインキ層シール５１ａをそれぞれ添付した（図２）。
【００８７】
示温インキは、パイロットインキ製で３０℃で温度が変化するものを使用した。
【００８８】
色の変化は、常温で青色、指で触るとピンク色へと変色する。また、手を離すと元の青色に戻った。
【００８９】
インキ層シール５１ａの大きさは１３×１２ｍｍ、そのうち示温インキ部分は１１×６ｍｍであった。
【００９０】
回答は、選択ボタン５を指で押圧することにより回答した。
【００９１】
押圧した時、指の体温により示温インキが変色した。
【００９２】
指を離してしばらくすると色は元に戻るので、繰り返し使用することができた。
【００９３】
＜実施例２＞
図７および図８に示すアンケートカード１を作製した。
【００９４】
アンケートカード１にはスタートボタン３と、取り消しボタン４と質問事項１０項目と、それら質問に対する選択ボタン５が設けられている。回答は３つのうちから１つ選んで押圧する（図１参照）。
【００９５】
アンケートカード１の情報入力面２に質問内容、回答内容を印刷した。選択ボタン５の押圧部５０は白抜きとした（図１）。  次に第２基材３０ｃ上にモジュール部品１０を設け、第２基材３０ｃ上に中間基材３０ｃと第１基材３０ａを順次重ね、第１基材３０ａと、第２基材３０ｂと、中間基材３０ｃをヒートシールした。
また各ボタン３，４，５の押圧部５０にパイロットインキ製フリクションボールペン（ブルー）で色をつけて視覚識別手段５２を形成した（図７）。
【００９６】
回答は、選択ボタン５を５×５×５０ｍｍのゴム棒５２Ａで擦って回答した。（図８）
摩擦熱によりフリクションインキの色が失われ、無色となった。
【００９７】
使用後は、瞬間冷却スプレーを吹きかけた。メタモインキが再度現れ、繰り返し使用することができた。
【００９８】
＜実施例３＞
図９および図１０に示すアンケートカード１を作製した。
【００９９】
アンケートカード１にはスタートボタン３と、取り消しボタン４と質問事項１０項目と、それら質問に対する選択ボタン５が設けられている。回答は３つのうちから１つ選んで押圧した（図１参照）。
【０１００】
アンケートカード１の情報入力面２に質問内容、回答内容を印刷した。この際、情報入力面２の選択ボタン５に、質問内容、回答内容をオフセット印刷により表記した。押圧部分は青色に着色し、表面保護のため絵柄全面に剥離ＯＰを塗布した。  次に第２基材３０ｃ上にモジュール部品１０を設け、第２基材３０ｃ上に中間基材３０ｃと第１基材３０ａを順次重ね、第１基材３０ａと、第２基材３０ｂと、中間基材３０ｃをヒートシールした。
また選択ボタン５の押圧部５０を覆うように、マスキングシート（３Ｍジャパン製Ｓｃｏｔｃｈ  張って剥がせるシート）５５を軽くのせた（図９および図１０）。
回答は、回答ボタンを指で押圧することにより回答した。
【０１０１】
押圧した時、マスキングシート５５の糊が台紙と密着し、カードの青色部が周囲よりも濃く変化することで視認性を得た。
【０１０２】
使用後は、マスキングシート５５を剥がし、軽くのせることで、繰り返し使用することができた。
【０１０３】
＜実施例４＞
次のアンケートカード１を作製した。
【０１０４】
図１乃至図６に示すアンケートカード１を作製した。アンケートカード１にはスタートボタン３と、取り消しボタン４と質問事項１０項目と、それら質問に対する選択ボタン５が設けられている。回答は３つのうちから１つ選んで押圧する（図１参照）。
【０１０５】
アンケートカード１の情報入力面２に質問内容、回答内容を印刷した。選択ボタン５の押圧部５０は白抜きとした。（図１）
この際、情報入力面２に質問内容、回答内容をオフセット印刷により表記した。押圧部分がわかるようデザインした。
【０１０６】
表面保護のため絵柄全面に剥離ＯＰを塗布した。  次に第２基材３０ｃ上にモジュール部品１０を設け、第２基材３０ｃ上に中間基材３０ｃと第１基材３０ａを順次重ね、第１基材３０ａと、第２基材３０ｂと、中間基材３０ｃをヒートシールした。
【０１０７】
回答は、回答ボタンをホワイトボード用マーカー（コクヨ製  ホワイトボード用マーカー  細字）で押圧することにより回答する。このとき、マーカーインキが回答ボタン部分に付着し、回答部分がマーキングされる。
【０１０８】
使用後は、ホワイトボードマーカー用イレーザーでふき取ることで、インキは剥離され、繰り返し使うことができる。
【０１０９】
＜比較例１＞
基本的には実施例１と同様にして押圧部分には、示温インキシールを貼らず、かつメタモインキでマーキングしないものをアンケートカード作製した。
【０１１０】
＜比較例２＞
基本的には実施例３と同様にして、マスキングテープ添付しない状態でアンケートカード１を作製した。
【０１１１】
＜比較例３＞
基本的には実施例４と同様にしてアンケートカード１を作製した。またホワイトボード用マーカーの代わりに、油性マジックを使用した。
【０１１２】
＜評価＞
次に実施例１〜４および比較例１〜３のアンケートカードを用い、アンケートを行ない各質問に答えた。
【０１１３】
アンケート終了後、アンケートに答えていた最中に、アンケート漏れについて不安を感じたかどうかの意見を回収し、パソコンで結果を読み込み、質問に対して全て回答されていたかをチェックした。
【０１１４】
実施人数    １０人（５０歳以上）
その評価結果を下記に示す。
評価結果
【表１】
2018041412.tif 000003
【０１１５】
以上の評価結果から実施例１〜４では回答漏れについて不安を感じた人はおらず、また回答漏れもなかった。いずれのアンケートカードも繰り返し使うことが可能であった。
【０１１６】
比較例１では回答漏れについて不安を感じた人がいた。また回答漏れもあった。
【０１１７】
比較例２では回答漏れについて不安を感じた人がいた。
【０１１８】
比較例３では回答漏れについて不安を感じた人はいなかった。回答漏れはなかったが、繰り返し使うことはできなかった。
【符号の説明】
【０１１９】
１  アンケートカード
２  情報入力面
３  スタートボタン
４  取り消しボタン
５  選択ボタン
１０  モジュール部品
１１  フィルム基板
１２  ＡＳＩＣ
１３  水晶振動子
１４  ボタン電池
１５  スピーカ
１６  端子
１７  アンテナパターン
２１  記憶部
２２  制御部
２３  無線通信部
３０  シート基材
３０ａ  第１基材
３０ｂ  第２基材
３０ｃ  中間基材
３４  接点
３５  回路パターン
３６  導電部
５０  押圧部
５１  視覚識別手段
５２  視覚識別手段
５３  視覚識別手段
５５  マスキングシート
【図１】
2018041412.tif 000004
【図２】
2018041412.tif 000005
【図３】
2018041412.tif 000006
【図４】
2018041412.tif 000007
【図５】
2018041412.tif 000008
【図６】
2018041412.tif 000009
【図７】
2018041412.tif 000010
【図８】
2018041412.tif 000011
【図９】
2018041412.tif 000012
【図１０】
2018041412.tif 000013